(57)【要約】【課題】  地震時において木造住宅の振動を減衰させる。【解決方法】上記課題を解決するため本発明は、基礎コンクリート上面より突出する部分を基礎コンクリートに埋設する部分より太くした上面開口の筒状剛体を設け、基礎コンクリートに埋設する部分の該筒状剛体の内部には弾性物質を内嵌すると共に、該弾性物質の高さは該筒状剛体より突出しており、且つ該弾性物質の中心部には建物構造部材に連結するアンカーボルトと基礎コンクリートに固定するアンカーボルトを上下に離して固着させ、さらに基礎コンクリート上面より突出した該筒状剛体内部と該弾性物質の間に弾性係数の異なる弾性物質を接合して内嵌されてなる免震装置を建造物の基礎と上台乃至柱の中間に固定して用いる木造住宅の埋め込み式免震装置。【選択図】図１
2013113081.tif 000002
【特許請求の範囲】
【請求項１】
木造住宅の基礎部分に設置する免震装置において、基礎コンクリート上面より突出する部分を基礎コンクリートに埋設する部分より太くした上面開口の筒状剛体を設け、基礎コンクリートに埋設する部分の該筒状剛体の内部には弾性物質を内嵌すると共に、該弾性物質の高さは該筒状剛体より突出しており、且つ該弾性物質の中心部には建物構造部材に連結するアンカーボルトと基礎コンクリートに固定するアンカーボルトを上下に離して固着させ、さらに基礎コンクリート上面より突出した該筒状剛体部と該弾性物質の間に弾性係数の異なる弾性物質を接合して内嵌されてなる免震装置を建造物の基礎と土台乃至柱の中間に固定して用いることを特徴とする木造住宅の埋め込み式免震装置。
【請求項２】
木造住宅の基礎部分に設置する免震装置において、基礎コンクリート上面より突出する部分の底盤に基礎コンクリートに接するフランジを具備した上面開口の筒状剛体にて、基礎コンクリートに埋設する部分の該筒状剛体の内部には弾性物質を内嵌すると共に、該弾性物質の高さは該筒状剛体より突出しており、且つ該弾性物質の中心部には建物構造部材に連結するアンカーボルトと基礎コンクリートに固定するアンカーボルトを上下に離して固着させ、さらに基礎コンクリート上面より突出した該弾性物質の外側には任意の幅を持った弾性係数の異なる弾性物質を接合し、さらに該弾性物質の外周面には高強度の布状繊維を巻きつけた免震装置を建造物の基礎と土台乃至柱の中間に固定して用いることを特徴とする木造住宅の埋め込み式免震装置。
【請求項３】
請求項２の免震装置において、基礎コンクリート上面より突出する部分の底盤に基礎コンクリートに接するフランジを具備した上面開口の筒状剛体を設け、基礎コンクリートに埋設する部分の該筒状剛体の内部の中央部分には上下に隔てる中空状のフランジかつ下方部は球面支承部を具備し、該フランジより上の部分には弾性物質を内嵌すると共に、該弾性物質の高さは該筒状剛体より突出しておりさらに基礎コンクリート上面より突出した該弾性物質の外側には任意の幅を持った弾性係数の異なる弾性物質を該弾性物質と同じ高さで接合し、さらに外側の弾性物質の外周面には高強度の布状繊維を巻きつけ、且つ弾性物質の中心部には建物構造部材に連結するアンカーボルトを貫通させ該筒状剛体の中央部に固定された球面支承部内には球面部位を有し、さらに該球面支承部の球面に沿って揺動できる球状もしくは半球状の弾性係数の異なる弾性物質の揺動部材を配設し、該揺動部材の中央を貫通させた建物構造部材に連結するアンカーボルトをナットで固定し、さらに筒状剛体の底部外径面には抜け止め防止用の鉄片もしくはフランジを具備した免震装置を建造物の基礎と土台乃至柱の中間に固定して用いることを特徴とする木造住宅の埋め込み式免震装置。
【請求項４】
木造住宅の基礎部分に設置する免震装置において、基礎コンクリート上面より突出する部分は任意の径と高さを持つ円柱状、かつ基礎コンクリートに埋設する部分を円錐台状にした弾性物質の中心部には建物構造部材に連結するアンカーボルトと基礎コンクリートに固定するアンカーボルトを上下に離して固着させ、さらに基礎コンクリート上面より突出した該弾性物質の外側には該弾性物質と同じ高さでかつ任意の幅を持った弾性係数の異なる弾性物質を接合し、さらに該弾性物質の外周面と基礎コンクリートに埋設する弾性物質の外周面には高強度の布状繊維を巻きつけた免震装置を建造物の基礎と土台乃至柱の中間に固定して用いることを特徴とする木造住宅の埋め込み式免震装置。
【発明の詳細な説明】
【技術分野】
【０００１】本発明は、木造住宅の埋め込み式免震装置に関するものであり、特に、基礎コンクリート内に免震機構を埋設し、そして、地震の振動を効率よく吸収して住宅の振動を可及的に減衰せしめた木造住宅の免震装置に関するものである。
【背景技術】
【０００２】  従来の木造住宅は基礎コンクリートを打設する時、該基礎コンクリートにアンカーボルトを埋設し、そして、該アンカーボルトを該基礎コンクリート上に載置される木製土台に締結して住宅と基礎コンクリートを一体的に結合してなるものである。
【発明の開示】
【発明が解決しようとする課題】
【０００３】  従来例の木造住宅は前述せるごとく、基礎コンクリートと住宅とが一体的に結合されているので、地震時においては地盤の振動が該基礎コンクリートを振動させ、そして、該基礎コンクリートの振動は直接に住宅に伝達されて揺動する。したがって、大地震時においては、該住宅の倒壊をも招来させるという欠陥がある。【０００４】そこで、考え出されたのが特許第３０１７６５号であるが、筒状剛体の内部には弾性係数の異なる２つの弾性物質を接合して内嵌されている為、各々の弾性物質を機能させる為には、それなりの厚みが必要である。その為免震装置自体の径が太くなり、基礎コンクリートに埋め込む時コンクリートの横幅部分の被りが少なくなり、地震時、基礎コンクリートを破壊する恐れがある。【０００５】そこで地震による振動で基礎コンクリートを破壊せず、振動を吸収して住宅への影響を可及的に低減させるために解決せらるべき技術的課題が生じてくるのであり、本発明は該課題を解決することを目的とする。
【問題を解決する為の手段】
【０００６】  この発明は、特許３０１７６５号の欠点を補うべく、実験、発案したものであり、請求項１は、基礎コンクリート上面より突出する部分を基礎コンクリートに埋設する部分より太くした上面開口の筒状剛体を設け、基礎コンクリートに埋設する部分の該筒状剛体の内部には弾性物質を内嵌すると共に、該弾性物質の高さは該筒状剛体より突出しており、且つ該弾性物質の中心部には建物構造部材に連結するアンカーボルトと基礎コンクリートに固定するアンカーボルトを上下に離して固着させ、さらに基礎コンクリート上面より突出した該筒状剛体部と該弾性物質の間に弾性係数の異なる弾性物質を接合して内嵌されてなる免震装置を建造物の基礎と土台乃至柱の中間に固定して用いる木造住宅の埋め込み式免震装置であり、請求項２は、木造住宅の基礎部分に設置する免震装置において、基礎コンクリート上面より突出する部分の底盤に基礎コンクリートに接するフランジを具備した上面開口の筒状剛体を設け、基礎コンクリートに埋設する部分の該筒状剛体の内部には弾性物質を内嵌すると共に、該弾性物質の高さは該筒状剛体より突出しており、且つ該弾性物質の中心部には建物構造部材に連結するアンカーボルトと基礎コンクリートに固定するアンカーボルトを上下に離して固着させ、さらに基礎コンクリート上面より突出した該弾性物質の外側には任意の幅を持った弾性係数の異なる弾性物質を接合し、さらに該弾性物質の外径面には上からの加重で横への広がりを拘束するための高強度の布状繊維例えば炭素繊維やアラミド繊維を巻きつけた免震装置を建造物の基礎と土台乃至柱の中間に固定して用いる木造住宅の埋め込み式免震装置を提供するものである。
【発明を実施するための形態】
【０００７】  本発明の実施の形態を図で以下説明する。本発明は、図１から図４に従って詳述する。図１は本発明の請求項１の免震機構１の縦断正面図であり、図２は請求項２の免震機構２の縦断正面図であり、図３は請求項３の免震機構３の縦断正面図であり、かつ図４は請求項４の免震機構４の縦断正面図である。
【０００８】該免震機構１は金属製の２段式上面開口の筒状剛体１と該筒状剛体の細い部分に内嵌する該筒状剛体１より５ｍｍ以上長い弾性物質２。さらに該筒状剛体１と該弾性物質２に接合し、該弾性物質２の天端を同じくした弾性係数の異なる弾性物質３、且つ該弾性物質２の中心部には建物構造部材８に連結するアンカーボルト４と基礎コンクリートに固定するアンカーボルト５を上下に切り離して固着させてあり、該ボルトには抜け止ナット７が具備されている。
【０００９】また建物構造部材８と該弾性物質２，３の間には建物の加重が均一に架かるように金属製の座金６で構成されている。
【００１０】さらに免震機構２においては金属製の上面開口の筒状剛体１に内嵌し、且つ該筒状剛体１より長い弾性物質２、該弾性物質２に接合した弾性係数の異なる弾性物質３、且つ該弾性物質２の中心部には建物構造部材８に連結するアンカーボルト４と基礎コンクリートに固定するアンカーボルト５を上下に切り離して固着させてあり、該ボルトには抜け止ナット７が具備されている。
【００１１】なお、該弾性物質３の外周面には高強度の布状繊維９を巻きつけ接合してあり、上からの加重に対し、圧縮力で該弾性物質が横へ広がることを防ぐようにしている。また建物構造部材８と該弾性物質２，３の間には建物の加重が均一に架かるように金属製の座金６、で構成されている。
【００１２】図３は請求項３の縦断断面図で請求項２の免震装置の筒状剛体１の中央部に上下に隔てる中空状の球面支承部内には球面凹部位を有したフランジ６ｂを溶接、固定し該フランジより上に弾性物質２を内嵌すると共に、該弾性物質２の高さは該筒状剛体より突出しており、その外側には任意の幅を持った弾性係数の異なる弾性物質３を該弾性物質２と同じ高さで接合し、さらに外側の弾性物質３の外周面には高強度の布状繊維９を巻きつけ接合してあり、上からの加重に対し、圧縮力で該弾性物質が横へ広がることを防ぐようにしている。且つ弾性物質２の中心部には建物構造部材に連結するアンカーボルト４を該筒状剛体の中央部に固定された球面支承部内５１には球面凹部位を有して該球面支承部の球面に沿って揺動できる球状もしくは半球状５２の弾性係数の異なる弾性物質の揺動部材を配設し、該揺動部材の中央を貫通させたアンカーボルトをナットで固定し、球面に沿って自在にアンカーボルト４を揺動することになる。さらに筒状剛体の底部外周面には基礎コンクリートからの抜け止め防止用の鉄片もしくはフランジ５３を具備していることを特徴とする木造住宅の埋め込み式免震装置。
【００１３】図４は請求項４の免震装置縦断断面図で木造住宅の基礎部分に設置する免震装置において、基礎コンクリート上面より突出する部分は任意の径と高さを持つ円柱状、かつ基礎コンクリートに埋設する部分を円錐台状にした弾性物質２の中心部には建物構造部材８に連結するアンカーボルト４と基礎コンクリートからの抜け止め防止用の鉄片もしくはフランジ５３に固定するアンカーボルト５を上下に離して固着させ、さらに基礎コンクリート上面より突出した該弾性物質２の外側には該弾性物質と同じ高さでかつ任意の幅を持った弾性係数の異なる弾性物質３を接合し、さらに該弾性物質３の外周面と基礎コンクリートに埋設する弾性物質２の外周面には高強度の布状繊維１ａを巻きつけた免震装置を建造物の基礎と土台乃至柱の中間に固定して用いることを特徴とする木造住宅の埋め込み式免震装置。
【００１４】本発明の免震機構１，２，３，４を木造住宅に実施するに当たっては、基礎工事部位に配筋された鉄筋に免震機構の１，２，３，４を高さ揃えて結束し、そして、前記型枠内にコンクリートを打設して基礎コンクリートを造成する。このとき、前記筒状剛体１，２，３，４は該基礎コンクリート内に埋設される。
【００１５】そこで、この実施の形態においては、地震の発生した場合、該地震の振動は前記筒状剛体に直接負荷された該筒状剛体が揺動することになるが、この振動は該筒状剛体１内の弾性体２に伝達される。さらに弾性係数の異なる二つの弾性体２、３に伝達されるが、これ等の二つの弾性体は相互に密接しているので、相互に干渉し合って該振動を減衰させる。
【００１６】さらに実験によれば、建物構造部材に連結するアンカーボルトが建築構造物の取り付け部分で最大２０ｍｍ程度の稼動域が必要である。その為アンカーボルトを弾性体の中で切り離し稼動域を確保した。また切り離したことで基礎コンクリートからの揺動が直接アンカーボルトを介在して建築構造物への伝達を防ぎ、さらに揺動収束時アンカーボルトや木製土台およびこの上に築造される木造住宅に対する地震の影響を著しく減少させることができるのである。
【００１７】  尚、本発明は、本発明の精神を逸脱しない限りの改変をなすことができ、そして、本発明が改変されたものに及ぶことは当然である。
【発明の効果】
【００１８】本発明は上記一実施の形態において詳述せる如く、木造住宅に本発明の免震装置を設置しておけば、地震時における地盤の振動はまず、弾性係数の異なる二つの弾性体にて相互に干渉し合って振動を減衰させ、アンカーボルトに連結されている木製土台及び該木製土台上の木造住宅に対する地震による振動が著しく減衰し、大地震の場合においても該木造住宅が倒壊するようなことがなくなる等、まさに著大な効果を期待できる発明である。
【図面の簡単な説明】
【００１９】
【図１】本発明の請求項１の断面図。
【図２】本発明の請求項２の断面図。
【図３】本発明の請求項３の断面図。
【図４】本発明の請求項４の断面図。
【符号の説明】
【００２０】１、  ダンパー本体の金属製筒状剛体
１ａ、ダンパー本体の高強度の布状繊維の筒状剛体
２、  弾性物質
３、  弾性係数の異なる弾性物質
４、  建物構造部材連結用アンカーボルト
５、  基礎コンクリート固定用アンカーボルト
６、  金属製座金
６ｂ、球面凹部位を有したフランジ
７、  固定用ナット
７ａ、ボルトつなぎ長ナット
８、  建物構造部材
９、  高強度の布状繊維
５１、球面支承部
５２、球、半球状弾性物質
５３、浮き上がり止めフランジ
【図１】
2013113081.tif 000003
【図２】
2013113081.tif 000004
【図３】
2013113081.tif 000005
【図４】
2013113081.tif 000006